(57)【要約】【課題】平角線の全面にわたって確実に絶縁皮膜の検査が行えるスパークテスタヘッドを提供することを目的とする。【解決手段】平角線Ｗの厚さ方向両側から接触する一対の第一電極ブラシ１，１と、平角線Ｗの幅方向両側から接触する一対の第二電極ブラシ２，２と、を具備して平角線Ｗに対して合計４方向から接触させている。そして、第一電極ブラシ１，１と第二電極ブラシ２，２とは平角線Ｗの長手方向異なる位置に配設されている。【選択図】  図１
2004156935.tif 000002
【特許請求の範囲】
【請求項１】
平角線（Ｗ）の厚さ方向両側及び幅方向両側の合計４方向から、該平角線（Ｗ）に接触する電極ブラシ（Ｂ）を有することを特徴とするスパークテスタヘッド。
【請求項２】
上記電極ブラシ（Ｂ）は、上記平角線（Ｗ）の厚さ方向両側から接触する一対の第一電極ブラシ（１）（１）と、該平角線（Ｗ）の幅方向両側から接触する一対の第二電極ブラシ（２）（２）と、を具備して、上記平角線（Ｗ）に対して合計４方向から接触し、かつ、該第一電極ブラシ（１）（１）と該第二電極ブラシ（２）（２）とは該平角線（Ｗ）の長手方向異なる位置に配設されたことを特徴とするスパークテスタヘッド。
【請求項３】
複数列で走行する平角線（Ｗ）を検査するスパークテスタであって、各平角線（Ｗ）の厚さ方向両側から接触する一対の第一電極ブラシ（１）（１）と、該各平角線（Ｗ）の幅方向両側から接触する一対の第二電極ブラシ（２）（２）と、を該各平角線（Ｗ）の長手方向異なる位置に配設させ、さらに、複数列の上記平角線（Ｗ）（Ｗ）間に配設される電極ブラシが該平角線（Ｗ）の長手方向に位置ズレさせて配設されていることを特徴とするスパークテスタ。
【発明の詳細な説明】
【０００１】
【発明の属する技術分野】
本発明は、平角線の絶縁皮膜が異常により薄膜となった箇所（ピンホールを含む）の絶縁抵抗の低下を検出するスパークテスタヘッド及びスパークテスタに関する。
【０００２】
【従来の技術】
極細で横断面平角形状の平角線（平角導体）は、その表面に絶縁皮膜が形成されており、平角線の製造ラインにおいて、平角線を長手方向に走行させ絶縁皮膜の検査を行っている。具体的には、この検査は平角線の絶縁皮膜の異常薄膜（ピンホールを含む）を電気的テスタにより検出している。
【０００３】
従来の電気的テスタは、図７に示すように、平角線４２を挟むよう、２方向両側から電極ロール４０，４０をその両幅広面（フラット面）４１，４１に当接させ、平角線４２の皮膜が薄い場合、絶縁抵抗測定値が設定値（例えば５ＭΩ）をはずれ、ロール４０と平角線４２との絶縁抵抗の低下を検出することにより異常薄膜を確認している。
また、平角線４２は極めて薄い（厚さ  ０．１ｍｍ×幅  １．２ｍｍ〜厚さ０．２５ｍｍ×幅  ５．０ｍｍ）ため、従来、平角線４２の幅狭面４３，４３の絶縁皮膜の検査は行っていない。しかし、平角線４２の精度の向上が必要となり、そのため、図示省略するが、電極ロール４０，４０を平角線４２の両幅狭面４３，４３にも接触させることが考えられた。
なお、このロール４０による従来技術は、文献公知発明に係るものではなく、連続的に送られてくるワークの一般的な絶縁皮膜の検査装置として使用されているものである。
【０００４】
【発明が解決しようとする課題】
従来のように、平角線４２の検査において、２方向両側からのロール４０，４０の接触では、幅広面４１，４１の欠陥（異常薄膜、ピンホール）の検出は可能であっても、幅狭面（厚さ面）４３の欠陥は検出されないという問題がある。
そして、幅狭面４３，４３にもロール４０，４０を接触させる場合、平角線４２は、非常に薄いため、ロール４０，４０を幅狭面４３，４３に正確に接触させることが困難であり、特に、平角線４２のコーナー部の検出ができないという問題がある。
【０００５】
そこで本発明は、平角線の全面にわたって確実に絶縁皮膜の検査が行えるスパークテスタヘッド及びコンパクトなスパークテスタを提供することを目的とする。
【０００６】
【課題を解決するための手段】
上述の目的を達成するために、本発明に係るスパークテスタヘッドは、平角線の厚さ方向両側及び幅方向両側の合計４方向から、該平角線に接触する電極ブラシを有するものである。
また、上記電極ブラシは、上記平角線の厚さ方向両側から接触する一対の第一電極ブラシと、該平角線の幅方向両側から接触する一対の第二電極ブラシと、を具備して、上記平角線に対して合計４方向から接触し、かつ、該第一電極ブラシと該第二電極ブラシとは該平角線の長手方向異なる位置に配設されている。
【０００７】
上述の目的を達成するために、本発明に係るスパークテスタは、複数列で走行する平角線を検査するスパークテスタであって、各平角線の厚さ方向両側から接触する一対の第一電極ブラシと、該各平角線の幅方向両側から接触する一対の第二電極ブラシと、を該各平角線の長手方向異なる位置に配設させ、さらに、複数列の上記平角線間に配設される電極ブラシが該平角線の長手方向に位置ズレさせて配設されている。
【０００８】
【発明の実施の形態】
以下、図示の実施の形態に基づき、本発明を詳説する。
【０００９】
本発明に係るスパークテスタ及びそのテスタが具備するスパークテスタヘッドは、表面に絶縁皮膜が形成された平角線（平角導体）の皮膜状態を検査するものであり、具体的に説明すると、スパークテスタヘッドは電極ブラシを有しており、平角線の皮膜に異常薄膜（ピンホール）が存在すると、電極ブラシとの間で絶縁抵抗の低下を検出する（ピンホールの場合、電極ブラシの先端がピンホールに入り込む）ことにより、異常薄膜の存在を確認している。つまり、平角線の絶縁皮膜が極端に薄い部分があると、電極ブラシとの間において、絶縁抵抗が低下を検出し、欠陥を検知する装置である。
【００１０】
平角線について説明すると、丸線を長手方向に走行させてローラ等により圧延し、極細の平角線に形成し、その後電着等により絶縁皮膜をその外周面に形成させたものであり、例えばエナメル平角銅線等としている。なお、平角線の断面形状は、極薄の略矩形状であり、厚さ  ０．１ｍｍ×幅  １．２ｍｍ〜厚さ０．２５ｍｍ×幅  ５．０ｍｍ程度のものがある。
【００１１】
図１及び図２は、本発明に係るスパークテスタヘッドの平面図及び側面図であり、このスパークテスタヘッドは、平角線Ｗの厚さ方向両側及び幅方向両側の合計４方向から平角線Ｗに接触する電極ブラシＢを有している。
即ち、この１組のスパークテスタヘッドは、平角線Ｗを挟んで対面するよう配置される一対の電極ブラシＢ，Ｂを、平角線Ｗの長手方向に位置をずらして、二対有しており、合計４本の電極ブラシＢを備えている。つまり、平角線Ｗの両幅広面３，３及び両幅狭面４，４に、夫々、電極ブラシＢが接触している。
【００１２】
図３と図４は、スパークテスタヘッド中を走行する平角線Ｗの横断面図（図１のａ−ａ矢視とｂ−ｂ矢視）であり、電極ブラシＢは、図３に示すように、平角線Ｗの厚さ方向両側（矢印ｃ，ｃ方向）から接触する一対の第一電極ブラシ１，１と、図４に示すように、平角線Ｗの幅方向両側（矢印ｄ，ｄ方向）から接触する一対の第二電極ブラシ２，２と、を具備しており、平角線Ｗに対して合計４方向から電極ブラシ１，１，２，２を接触させている。さらに、図１と図２に示すように、一対の第一電極ブラシ１，１と一対の第二電極ブラシ２，２とは、平角線Ｗの長手方向異なる位置に所定間隔を持って配設されている。
【００１３】
即ち、平角線Ｗの走行ライン上の所定位置（第一検査部５）において平角線Ｗを挟む一対の第一電極ブラシ１，１が平角線Ｗの両幅広面３，３に接触し、第一検査部５とは異なる位置───第一検査部５より上流側の位置───にある平角線Ｗの第二検査部６において一対の第二電極ブラシ２，２が平角線Ｗの両幅狭面４，４に接触している。なお、第一検査部５を第二検査部６より上流側へ配置してもよい。
本願発明のスパークテスタヘッドは、平角線Ｗの走行方向に沿って上流側から下流側を見ると、一対の第一電極ブラシ１，１と一対の第二電極ブラシ２，２とが、そのブラシ方向を９０°位相を変えて配設されていることとなる。
【００１４】
電極ブラシＢ（第一・第二電極ブラシ１，２）について説明すると、ブラシＢは、極めて細くしなやかな多数の繊維を有しており、基端部が束ねられて平筆状としており、断面略一文字状の繊維の束としている。電極ブラシＢのブラシ幅寸法は、平角線Ｗの幅寸法（厚さ寸法）より十分大きく設定しており、スパークテスタヘッド内において、電極ブラシＢは、平角線Ｗの表面（外周面４方向）に漏れがないよう確実に覆うことができる。
【００１５】
つまり、平角線Ｗの長手方向異なる位置（第一検査部５と第二検査部６）において、平角線Ｗの厚さ方向の２方向及び幅方向の２方向の合計４方向から、平角線Ｗの４面ともに電極ブラシＢを接触させるため、異常薄膜部分の検知の信頼性を向上させることができる。
なお、本発明では、電極ブラシＢをカーボンブラシとしている。
【００１６】
次に、図１及び図２により、スパークテスタヘッドの構造についてさらに説明すると、夫々の電極ブラシ１，２のブラシ方向（ブラシ基端部から先端部への方向）は、平角線Ｗの走行方向の上流側から下流側に向いており、ブラシ先端部が平角線Ｗに接触するよう平角線Ｗの幅広面３及び幅狭面４に対して傾斜している。
一対の第一電極ブラシ１，１の固定は、次のとおり行う。平角線Ｗ（幅広面３，３）を挟むように、第一電極ブラシ１，１の固定部１ａ，１ａを電極固定用の樹脂マウント７，７の台座部７ａ，７ａに着座させ、金属マウント８，８により第一電極ブラシ１，１の固定部１ａ，１ａを挟み込み、金属製止めネジ部材９，９により樹脂マウント７と金属マウント８とを固定部１ａ，１ａを挟んで締めつけて固定する。また、樹脂マウント７，７は平板状の樹脂プレート１０上に配設（固定）されており、また、樹脂プレート１０上には金属板１１が配設され、金属板１１の一部に電気配線（電源）を接続し、金属板１１の他部が金属マウント８と（止めネジ部材９を介して）電気的に導通可能状態としている。
【００１７】
第二電極ブラシ２，２は、上記金属マウント８，８のうちの一方にネジなどにて固定された金属製の断面Ｌ字型アーム部材（アングルシャフト）１２に固定されている。さらに説明すると、アーム部材１２は、その基端部から先端部が平角線Ｗの線方向に沿って（平行となるよう）延伸しており、金属マウント８から片持ち状となって接続されている。そして、アーム部材１２の基端部が金属マウント８に固定されており、先端部には一対のベース板１３，１３が平角線Ｗ（幅狭面４，４）を挟むように対面状に固定されている。そして、各ベース板１３，１３と押さえ板１４，１４とにより第二電極ブラシ２，２の固定部２ａ，２ａを挟み、ネジなどにて固定されている。
従って、第一電極ブラシ１，１と第二電極ブラシ２，２とは、同時に同じ検査電圧が印加できる。
そして、第一電極ブラシ１，１と第二電極ブラシ２，２とにより、一組のスパークテスタヘッドを構成している。
【００１８】
次に、平角線Ｗの製造ラインにおけるスパークテスタについて説明すると、平角線Ｗのラインは複数本あり、図５のスパークテスタの構成図に示すように、絶縁皮膜の欠陥の検出ラインは複数箇略所有している。従って、複数列で並んで走行する平角線Ｗを検査するスパークテスタは、複数組のスパークテスタヘッドを並列状態で具備していることとなる。
【００１９】
そして、本願発明に係るスパークテスタは、図６の概略構成図に示すように、先ず複数のラインのうちの１本のラインについて注目すると、各ラインには夫々、その平角線Ｗの厚さ方向両側から接触する一対の第一電極ブラシ１，１と、その平角線Ｗの幅方向両側から接触する一対の第二電極ブラシ２，２と、をその平角線Ｗの長手方向異なる位置に（所定間隔Ｇを持って）配設している。
【００２０】
さらに、複数本のラインについて注目すると、複数列（隣接する一対）の平角線Ｗ，Ｗの間の空間に配設される電極ブラシ同士を、平角線Ｗの長手方向に位置ズレさせて（間隔ｇを持って）配設している。
つまり言い換えると、隣り合う平角線Ｗ，Ｗ用の夫々４方向からの電極ブラシＢのうち、その隣り合う平角線Ｗ，Ｗの対面状となる夫々の面（幅広面３，３又は幅狭面４，４）に接触する電極ブラシ同士を、平角線Ｗの長手方向に位置ズレさせて（間隔ｇを持って）配設している。
【００２１】
なお、図６によれば、複数列の平角線Ｗ，Ｗ間に配設される電極ブラシとは、第一の平角線ラインＬ１  の幅広面３に接触する第一電極ブラシ１と、第二の平角線ラインＬ２  の幅広面３に接触する第一電極ブラシ１であり、これら背中合わせとなって近接する第一の平角線ラインＬ１  の第一電極ブラシ１と第二の平角線ラインＬ２  の第一電極ブラシ１を、平角線Ｗの長手方向に位置ズレさせて配設している。なお、第二の平角線ラインＬ２  と第三の平角線ラインＬ３  とにおいても同様に、第二の平角線ラインＬ２  の第一電極ブラシ１と第三の平角線ラインＬ３  の第一電極ブラシ１を位置ズレさせている。
【００２２】
【発明の効果】
本発明は上述の構成により次のような効果を奏する。
【００２３】
（請求項１によれば）平角線Ｗの全面にわたって絶縁皮膜の検査が可能となり、欠陥（薄膜、ピンホール）の検出精度が高まって製品の品質向上が可能となる。
（請求項２によれば）ブラシ方向の異なる第一電極ブラシ１，１と第二電極ブラシ２，２とが干渉して、ブラシ先端が平角線Ｗの絶縁皮膜に接触しない部分が生ずることがなく、欠陥の検出精度を向上させることができる。
さらに、平角線Ｗが蛇行しても、確実に平角線Ｗの両幅広面３，３及び両幅狭面４，４ともに、電極ブラシＢを接触させることができる。
【００２４】
（請求項３によれば）請求項１及び請求項２の効果を奏すると共に、平角線Ｗ，Ｗの間に配設される電極ブラシの位置をずらすことで、平角線Ｗの走行ラインの間隔を狭めることが可能となり、幅方向にコンパクトなスパークテスタとすることができる。
【図面の簡単な説明】
【図１】本発明のスパークテスタヘッドの実施の一形態を示す平面図である。
【図２】スパークテスタヘッドの側面図である。
【図３】第一電極ブラシ間を通過する平角線の横断面図である。
【図４】第二電極ブラシ間を通過する平角線の横断面図である。
【図５】本発明のスパークテスタの全体構成図である。
【図６】本発明のスパークテスタの概略構成図である。
【図７】従来のスパークテスタヘッドの平面図である。
【符号の説明】
１  第一電極ブラシ
２  第二電極ブラシ
Ｂ  電極ブラシ
Ｗ  平角線
【図１】
2004156935.tif 000003
【図２】
2004156935.tif 000004
【図３】
2004156935.tif 000005
【図４】
2004156935.tif 000006
【図５】
2004156935.tif 000007
【図６】
2004156935.tif 000008
【図７】
2004156935.tif 000009